(57)【要約】【課題】商品を特定する商品コードを読み取る商品コード読取装置を使用者にとって使い勝手の良い構造とした荷車を提供すること。【解決手段】実施形態の荷車は、商品を運搬するカートを備えている。カートには、被挿入部を有する読取装置ホルダと、この読取装置ホルダに着脱可能に取り付けられ、被挿入部に挿脱可能な軸状の挿入部を有し、商品を特定する商品コードを読み取る商品コード読取装置を備えている。【選択図】図１
2019153064.tif 000002
【特許請求の範囲】
【請求項１】
商品を運搬するカートと、
このカートに取り付けられ、開口を有する被挿入部を有する読取装置ホルダと、
この読取装置ホルダに着脱可能に取り付けられ、前記被挿入部に挿脱可能な軸状の挿入部を有し、商品を特定する商品コードを読み取る商品コード読取装置と、
を備える荷車。
【請求項２】
保持構造は、前記挿入部の軸周りの角度位置を保持する請求項１に記載の荷車。
【請求項３】
前記被挿入部に前記挿入部が挿入された状態において軸方向の位置を保持する保持構造をさらに備える請求項１に記載の荷車。
【請求項４】
前記カートは、床面を走行するキャスタ部と、このキャスタ部の後輪側にそれぞれ取り付けられた縦フレームと、これら縦フレームの上端側を繋ぐ水平方向のハンドルバーを備え、
前記読取装置ホルダは、前記ハンドルバーに取り付けられている請求項１に記載の荷車。
【請求項５】
前記商品コード読取装置は、前記カートとは、カールコードで接続され、
前記カールコードは、前記商品コード読取装置を垂下させた時に、前記商品コード読取装置が床面に達する長さより短く設定されている請求項１に記載の荷車。
【発明の詳細な説明】
【技術分野】
【０００１】
本発明の実施形態は、荷車に関する。
【背景技術】
【０００２】
スーパーマーケットやショッピングモール等の店舗内で顧客はショッピングカートを使用する。そして、このショッピングカードに商品に付された商品コードを読取るスキャナを設け、顧客自身に商品に付された商品コードを読み取らせる販売形態がある。
【０００３】
しかしながら、商品コードを読み取らせる際のスキャナの最適な向きは顧客の好みがある。このため、店舗の設定した特定の向きが最適とは限らない。
【０００４】
このため、顧客が商品コードを読み取り易いスキャナを有するショッピングカードを提供することを目的とする。
【先行技術文献】
【特許文献】
【０００５】
【特許文献１】特許第５７１１７７３号公報
【発明の概要】
【発明が解決しようとする課題】
【０００６】
本発明が解決しようとする課題は、商品を特定する商品コードを読み取る商品コード読取装置を使用者にとって使い勝手の良い構造とした荷車を提供することである。
【課題を解決するための手段】
【０００７】
実施形態の荷車は、商品を運搬するカートを備えている。カートには、被挿入部を有する読取装置ホルダと、この読取装置ホルダに着脱可能に取り付けられ、被挿入部に挿脱可能な軸状の挿入部を有し、商品を特定する商品コードを読み取る商品コード読取装置を備えている。
【図面の簡単な説明】
【０００８】
【図１】図１は、実施形態にかかるショッピングカートを示す外観斜視図である。
【図２】図２は、ショッピングカートに取り付けられたスキャナを示す斜視図である。
【図３】図３は、ショッピングカートに取り付けられたスキャナを示す側面図である。
【図４】図４は、ショッピングカートに組み込まれた制御部を示すブロック図である。
【図５】図５は、ショッピングカートに取り付けられたスキャナを示す斜視図である。
【図６】図６は、ショッピングカートに取り付けられたスキャナの使用方法を示す斜視図である。
【発明を実施するための形態】
【０００９】
以下、本実施形態について、図面を参照しながら説明する。荷車の一例としてスーパーなどの小売店で使用されるショッピングカートを例に挙げる。図１は、ショッピングカート１０を示す外観斜視図。図２は、ショッピングカート１０に取り付けられたスキャナ１４０を示す斜視図。図３は、ショッピングカート１０に取り付けられたスキャナ１４０を示す側面図。図４は、ショッピングカート１０に組み込まれた制御部２００を示すブロック図。図５は、ショッピングカート１０に取り付けられたスキャナ１４０を示す斜視図。図６は、ショッピングカート１０に取り付けられたスキャナ１４０の使用方法を示す斜視図である。
【００１０】
なお、図示はしないが、ショッピングカート１０は顧客が購入を希望する商品の商品コードを読み取る登録機として機能する。読取った商品のリストは別装置である精算機へと転送される。顧客は精算機を使用することによって、精算を行うものとする。
【００１１】
図１に示すように、本実施形態にかかるショッピングカート１０は、商品を収容する買い物カゴＰを運搬するカート部２０と、カート部２０に取り付けられた電装部１００とを備えている。カート部２０は、床面上を円滑に移動させるためのキャスタ部３０と、このキャスタ部３０の後輪側に立設されたハンドルフレーム部４０と、このハンドルフレーム部４０の高さ方向の中間位置に、前方に向けて取り付けられた籠受部５０とを備えている。キャスタ部３０及び籠受部５０は、買物カゴＰが適宜載せられるように構成されている。買い物カゴＰは、揺動する持ち手Ｐａを有している。
【００１２】
キャスタ部３０は、後辺が開口した四角枠状のフレーム３１と、このフレーム３１の四隅にそれぞれ設けられたキャスタ３２を備えている。キャスタ３２は、鉛直方向の軸周りに自由に回転するブラケット３２ａと、このブラケット３２ａに水平方向に自由に回転するゴムあるいは樹脂製の車輪３２ｂを備えている。このフレーム３１には、受け部３３が設けられている。受け部３３は、買い物カゴＰの下部が収まるような寸法で形成されている。
【００１３】
ハンドルフレーム部４０は、キャスタ部３０の左右の後輪側にそれぞれ取り付けられた縦フレーム４１，４１と、これら縦フレーム４１，４１の上端を繋ぐ水平方向のハンドルバー４２を備えている。左側の縦フレーム４１には、延長アーム４３が取り付けられている。ハンドルフレーム部４０には補強材４４が取り付けられている。
【００１４】
籠受部５０は、四角枠状のフレーム５１と、このフレーム５１の下側に設けられた受け部５２を有している。受け部５２は買い物カゴＰの下部が収まるような寸法で形成されている。
【００１５】
電装部１００は、キャスタ部３０の上部に設けられる。ハンドルフレーム部４０の下端側に縦フレーム４１，４１に亘って取り付けられたバッテリ部１１０と、商品コードを読み取るためのスキャナ装置１２０を設ける。また、後述するスキャナ１４０で読み取った商品の商品名称・単価等の各種情報を表示する表示器１５０と、買い物カゴＰ内部等を撮像するカメラ１６０とを備えている。バッテリ部１１０は、スキャナ装置１２０、表示器１５０、カメラ１６０にハンドルフレーム部４０に内装された電力線を介して電力を供給している。また、スキャナ装置１２０、表示器１５０、カメラ１６０相互は、ハンドルフレーム部４０及び延長アーム４３に内装したケーブルにより接続されている。表示器１５０は、延長アーム４３の上端に取り付けられている。また、カメラ１６０は延長アーム４３の中途部に取り付けられている。これらの構成によって顧客が購入を希望する商品の商品コードを読み取る登録機としてのショッピングカート１０が構成される。
【００１６】
図２に示すように、スキャナ装置１２０は、ハンドルバー４２に取り付けられたスキャナホルダ（読取装置ホルダ）１３０と、このスキャナホルダ１３０に着脱可能に取り付けられ、商品を特定する商品コードを読み取るスキャナ（商品コード読取装置）１４０を具備している。
【００１７】
スキャナホルダ１３０は、ハンドルバー４２に締結される下部のホルダ筐体１３１と、ホルダ筐体１３１の上部に設けられた凹状の接続部１３２を有している。接続部１３２は、正方形状の開口部１３２ａを有し、開口部１３２ａの内側には後述する挿入部１４４が挿入される丸孔状の被挿入部１３２ｂが設けられている。被挿入部１３２ｂの底部には永久磁石（保持機構）１３２ｃが設置されている。永久磁石１３２ｃは、後述する挿入部１４４が挿入されると、磁力により軸方向に保持力を発生させる機能を有している。なお、当該保持力は、顧客が容易にスキャナ１４０を抜ける程度に設定されている。被挿入部１３２ｂの底部には水抜き孔１３２ｄが形成されている。水抜き孔１３２ｄは内部に溜まった水分を排出できるようになっている。
【００１８】
スキャナ１４０は、略直方体状のスキャナ本体１４１を備えている。スキャナ本体１４１の前面は開口部１４１ａが設けられ、ガラス板１４１ｂで閉塞されている。開口部１４１ａ内には読取部１４１ｃが設けられている。
【００１９】
スキャナ本体１４１の上面には読取部１４１ｃによりスキャナ動作を開始するためのスキャナトリガ１４２が設けられている。スキャナ本体１４１の背面には把手１４３が設けられている。
【００２０】
図３に示すように、スキャナ本体１４１の背面側及び把手１４３は買い物カゴＰの持ち手Ｐａとの干渉を避けるために上方から下方にかけて傾斜した構造となっている。なお、図３中Ｋは、持ち手Ｐａの軌跡を示している。
【００２１】
スキャナ本体１４１の底面１４１ｄは正方形状に形成されており、上述した開口部１３２ａの内壁に嵌合する。また、底面１４１ｄの中央には丸棒状の挿入部１４４が形成されている。挿入部１４４の少なくとも先端は磁性体で形成されている。また、開口部１３２ａと底面１４１ｄは嵌合させる向きを変えることで、図２に示す正面向き、図５に示す横向き等、合計四方向いずれの方向にも挿入固定することが可能である。したがって、スキャナ１４０の周方向の位置が固定される。なお、開口部１３２ａと底面１４１ｄの形状は、正方形に限られず、他の多角形や円形でも良く、形状に応じて方向を挿入することが可能である。
【００２２】
スキャナ１４０には、持出防止用のカールコード１４５の一端が内部の読取部１４１ｃに接続されており、カールコード１４５の他端はスキャナホルダ１３０に接続されている。カールコード１４５の長さは、顧客がスキャナ１４０を取り落とした際に、スキャナ１４０が自重でぶら下がっても床面に達しない長さに設定されている。また、カールコード１４５は顧客が必要に応じて伸ばすことができ、最大に伸ばした場合、最も遠いキャスタ部３０に載置された買い物カゴＰの底面近くまで届く長さに設定されている。
【００２３】
スキャナ１４０は、店舗内に陳列された商品に付された商品コードを読み取る。商品コードは、商品に関連付けられている。
【００２４】
表示器１５０はタッチパネル機能を有する表示パネル１５２を有する。端末筐体１５１の正面に表示パネル１５２が設けられている。端末筐体１５１内部には、バッテリ部１１０、スキャナ装置１２０、表示器１５０、カメラ１６０を連携制御する制御部２００が設けられている。
【００２５】
図４に示すように、制御部２００は、各部を集中的に制御するＣＰＵ（Central  Processing  Unit）２０１に、バスライン２１０を介して、固定データを固定的に記憶するＲＯＭ（Read  Only  Memory）２０２と、可変データを書き換え自在に記憶してＣＰＵ２０１のワークエリア等として機能するＲＡＭ（Random  Access  Memory）２０３と、不揮発性メモリ２０４とが接続されている。ＲＡＭ２０３には、上位サーバからダウンロードした商品マスタや、顧客が読取った商品コードと商品マスタに基づいて作成される買物リストを記憶する記憶領域が設けられている。また、不揮発性メモリ２０４には、ＣＰＵ２０１により実行されるプログラムが記憶されている。さらに、ＣＰＵ２０１は、バスライン２１０を介して、表示パネル１５２とのインターフェイス２０５、スキャナ１４０とのインターフェイス２０６、バッテリ部１１０とのインターフェイス２０７、カメラ１６０とのインターフェイス２０８と接続されている。また、ＣＰＵ２０１はバスライン２１０を介して通信インターフェイス２０９と接続されている。通信インターフェイス２０９を介して、精算機や上位サーバなどと通信を行う。
【００２６】
このように構成されたショッピングカート１０は以下のように使用される。すなわち、顧客は次のようにして買い物を行う。すなわち、ショッピングカート１０は当初、店舗の入口等に置かれている。この時、スキャナホルダ１３０に対し、スキャナ１４０はその開口部１４１ａを前後左右いずれかの方向に向けて挿入されている。
【００２７】
次に、顧客は使用するショッピングカート１０を引き出し、スキャナ１４０を自分の好みの方向（例えば、図５に示す方向）に差し込み直す。また、顧客は買い物カゴＰを取り、キャスタ部３０又は籠受部５０の少なくとも一方に買い物カゴＰを載置する。ここではキャスタ部３０及び籠受部５０にそれぞれに買い物カゴＰを載置するものとする。そして、顧客はハンドルバー４２を押しながら、商品の陳列されている商品棚に向けてショッピングカート１０を移動させる。
【００２８】
顧客は、商品棚から目的の商品を取り出し、スキャナ１４０はスキャナホルダ１３０に挿入したまま、商品の商品コードをスキャナ１４０の開口部１４１ａに近づけ、スキャナトリガ１４２を押す。これにより、商品コードがスキャナ１４０に読み取られ、読み取られた情報は、制御部２００に送られ、ＲＡＭ２０３に保存されると共に、表示パネル１５２に商品名や金額として表示される。顧客は商品をキャスタ部３０又は籠受部５０のいずれかに載置された買い物カゴＰに入れる。
【００２９】
一方、重量のある商品（例えば、飲料や米等）については、顧客は商品棚から商品を取り出し、そのまま籠受部５０上の買い物カゴＰに入れる。そして、図６に示すように、顧客はスキャナ１４０をスキャナホルダ１３０から取り出し、把手１４３を持って読取部１４１ｃを商品の商品コードに向け、スキャナトリガ１４２を押す。これにより、商品コード読取動作が行われる。読み取られた商品コードは、上述した場合と同様に制御部２００による処理が行われる。把手１４３によってスキャナ１４０を確実に保持できるため、顧客がスキャナ１４０を取り落とす虞を低減できる。
【００３０】
また、一定角度以上傾けるのが好ましくない商品（例えば、惣菜や刺身等）については、顧客は商品棚から商品を取り出し、傾けることなく、顧客はスキャナ１４０をスキャナホルダ１３０から取り出し、把手１４３を持って読取部１４１ｃを商品の商品コードに向け、スキャナトリガ１４２を押す。これにより、商品コード読取動作が行われる。読み取られた商品コードは、上述した場合と同様に制御部２００による処理が行われる。
【００３１】
このようにして、顧客は自らの好みに合わせてスキャナ１４０の向きを固定することができ、顧客が商品をスキャンする際の使い勝手が向上する。また、スキャナ１４０をスキャナホルダ１３０に差し込むと、被挿入部１３２ｂと挿入部１４４とが磁力により保持されるため、ショッピングカート１０の移動中に振動や傾き等でスキャナ１４０が落下することはない。
【００３２】
また、米などの重量のある商品や惣菜などの傾けることが望ましくない商品については、スキャナ１４０を取り外すことで、商品に近づけたり、スキャナ１４０自体を傾けたりすることで、商品コードを適切に読み取らせることが可能となる。
【００３３】
また、カールコード１４５を用いることにより、次のような利点がある。すなわち、スキャナ１４０の持ち出し防止用のケーブルが必要となる。ケーブルは、商品コードの読み取りを容易にするためある程度長いことが望まれるが、長すぎると、ケーブルを床面に引きずることになり好ましくない。また、ケーブルの収納部や巻取装置を作ると使い勝手が低下する。
【００３４】
一方、スキャナを取り外して使う場合においてスキャナをホールドするためのグリップをスキャナ側面に形成する必要があるが、顧客が誤って落下させてスキャナを壊してしまう虞がある。なお、ケーブルとしてカールコード１４５を使用しているため、商品を買い物カゴＰの遠い場所に置いたとしても、スキャナ１４０で商品をスキャンできるようにする。なお、カールコード１４５は、スキャナ１４０をハンドルバー４２から自重で垂下させた時に、床面に達する長さより短く設定されており、万が一顧客がスキャナ１４０を取り落としても破損することはない。
【００３５】
全ての買い物が終了したら、顧客は精算機へ赴く。そして表示器１５０の表示パネル１５２を操作するなどして、ＲＡＭ２０３に記憶された買物リストを精算機へと送信する。顧客は精算機を使用して、決済を行う。決済を終えた客は、ショッピングカート１０を店舗の所定位置に返却する。
上述した実施形態においては、スキャナ１４０のスキャナホルダ１３０への保持方向を四方向としたがこれに限られない。スキャナ１４０及びスキャナホルダ１３０の形状によっては３６０°自由に向けられるようにしてもよい。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０…ショッピングカート（荷車）、２０…カート部、３０…キャスタ部、３１…フレーム、３２…キャスタ、４０…ハンドルフレーム部、４１…縦フレーム、４２…ハンドルバー、４３…延長アーム、５０…籠受部、５１…フレーム、１００…電装部、１１０…バッテリ部、１２０…スキャナ装置、１３０…スキャナホルダ（読取装置ホルダ）、１３１…ホルダ筐体、１３２…接続部、１３２ａ…開口部、１３２ｂ…被挿入部、１３２ｃ…永久磁石（保持機構）、１４０…スキャナ（商品コード読取装置）、１４１…スキャナ本体、１４１ａ…開口部、１４１ｂ…ガラス板、１４１ｃ…読取部、１４２…スキャナトリガ、１４３…把手、１４４…挿入部、１４５…カールコード、１５０…表示器、１５１…端末筐体、１５２…表示パネル、１６０…カメラ、２００…制御部、Ｐ…買い物カゴ。
【図１】
2019153064.tif 000003
【図２】
2019153064.tif 000004
【図３】
2019153064.tif 000005
【図４】
2019153064.tif 000006
【図５】
2019153064.tif 000007
【図６】
2019153064.tif 000008